(57)【要約】【課題】  露光器として使用される記録ヘッドに多数配列された発光素子の副走査方向の位置のばらつきよる色ずれを抑えた廉価なタンデム方式の画像形成装置を提供することを目的とする。【解決手段】本発明の画像形成装置は、書込ユニットにおける潜像の形成のタイミングと、発光素子の副走査方向の位置の両方を考慮して画像データの読み出しを行う。画像データの読み出しは、主走査ライン単位で行うが、読み出す画像データは、同じ主走査ラインに属する画像データでなく、発光素子の副走査方向の位置を考慮して副走査ライン毎に決定する。読み出しを決定した画像データに基いて発光素子の発光制御を行う。【選択図】  図５
2007030305.tif 000002
【特許請求の範囲】
【請求項１】
感光ドラムと、該感光ドラムを照射して潜像を形成する発光素子を主走査方向に多数配列した記録ヘッドを備えた書込ユニットを複数備えたタンデム式の画像形成装置において、
各書込ユニットの発光素子の発光制御に用いられる画像データを記憶する画像データ記憶手段と、
各書込ユニットの各発光素子の副走査方向の位置を記憶した補正メモリと、
上記補正メモリに記憶された各発光素子の副走査方向の位置に基いて各発光素子と対応する上記画像データ記憶手段の副走査ラインのアドレスを生成するアドレス生成手段と、
各書込ユニットにおけるトナー画像の形成のタイミングを検知するタイミング検知手段と、
トナー画像の形成のタイミングが検知された書込ユニットの発光素子の発光制御に用いられる画像データのうち上記画像データ記憶手段の上記生成されたアドレスに対応する領域の画像データを読み出す読出手段と、
読み出された画像データに基いて発光制御を行う発光制御手段を備えたことを特徴とする画像形成装置。
【請求項２】
上記画像データ記憶手段は、白データが記憶された白データ領域を有し、
上記アドレス生成手段は、生成したアドレスが無効なアドレスとなる場合、無効なアドレスを上記白データ領域のアドレスに置き換える請求項１に記載の画像形成装置。
【発明の詳細な説明】
【技術分野】
【０００１】
本発明は、プリンタ、複写機、複合機などの画像形成装置に関し、特にタンデム方式が採用された画像形成装置に関する。
【背景技術】
【０００２】
近年、Ｃ（シアン）、Ｍ（マゼンタ）、Ｙ（イエロー）、Ｋ（ブラック）の各色のトナー画像を別個の書込ユニットにて形成するタンデム方式の画像形成装置が普及している。タンデム方式の画像形成装置は、図２に示すように、ＣＭＹＫの各書込ユニット５０１Ｃ、５０１Ｍ、５０１Ｙ、５０１Ｋが無端状の転写ベルト５１０の進行方向に沿って配列されている。各書込ユニット５０１Ｃ、５０１Ｍ、５０１Ｙ、５０１Ｋにて形成されたトナー画像が転写ベルト５１０の同じ位置に転写されるように、各書込ユニット５０１Ｃ、５０１Ｍ、５０１Ｙ、５０１Ｋのトナー画像の形成のタイミングが制御されている。
【０００３】
各書込ユニット５０１Ｃ、５０１Ｍ、５０１Ｙ、５０１Ｋは、図２に示すように、感光ドラム５０２と、感光ドラム５０２の周囲に配置された帯電器５０３、露光器５０４、現像器５０５、転写器５０６などで構成されている。書込ユニットにおけるトナー画像の形成は、感光ドラム５０２を帯電器５０３で帯電させ、その後印刷対象となる画像データに基いて露光器５０４で感光ドラム５０２を照射して感光ドラム５０２に潜像を形成し、現像器５０５で潜像にトナーを付着させることで行なわれる。感光ドラム５０２に形成されたトナー画像は、感光ドラム５０２の回転により転写器５０６に対向する位置に到達すると、転写器５０６にて転写ベルト５１０或いは転写ベルト５１０に搬送される用紙に転写される。
【０００４】
近年、上記の露光器として、図３に示すような、帯状の基板３０２に、基板３０２の長手方向に沿って多数の発光素子３０３が配列された記録ヘッド３０１が使用されることがある。このような記録ヘッド３０１を露光器として使用する場合、発光素子３０３が主走査方向（感光ドラムの軸方向）に並ぶように、記録ヘッド３０１は、基板３０２の長手方向が主走査方向に平行になるように書込ユニットの筐体に取り付けられる。
【０００５】
ところで、基板３０２の短手方向にばらつかせることなく発光素子３０３を長手方向に配列することや、感光ドラムの主走査方向に対して完全に平行に記録ヘッド３０１を取り付けることは技術的に非常に困難である。そのため、記録ヘッド３０１が筐体に取り付けられたときの発光素子３０３の副走査方向の位置にばらつきが生じる。発光素子３０３の副走査方向の位置にばらつきあると歪んだ潜像が形成されてしまい、そのため、歪んだトナー画像が形成されてしまう。特にタンデム式の画像形成装置においては、４色のトナー画像を重ね合わせて１つの印刷画像を形成するために、トナー画像の歪形態が書込ユニットによって異なると、色ずれが発生してしまう。
【０００６】
発光素子の副走査方向の位置のばらつきによる色ずれを防止する技術が特開平９−１８８００号公報や特開２０００−３３５００１号公報などに記載されている。これらの公報などに記載の技術は、発光素子の副走査方向の位置に応じて発光素子を発光させるタイミングを調整することで歪のないトナー画像を形成する技術である。
【０００７】
この技術が採用された画像形成装置は、図７に示す色変換手段７０１にて印刷対象となる画像データをハードディスクなどから読み出して、ＣＭＹＫに色分解し、ＣＭＹＫの各色の画像データを各色の第１のメモリ７０２に格納する。第１のメモリ７０２に格納された各色の画像データは、各書込ユニット５０１Ｃ、５０１Ｍ、５０１Ｙ、５０１Ｋのトナー画像の形成のタイミングが来るまで第１のメモリ７０２に格納される。
【０００８】
書込ユニットのトナー画像の形成のタイミングが来ると、各色の画像データは、各色の出力制御手段７０３によって第１のメモリ７０２から第２のメモリ７０４に１主走査ラインずつ移動させられる。
【０００９】
記録ヘッド３０１の発光制御を行う発光制御手段７０５は、第２のメモリ７０４に数主走査ライン分の画像データが格納されると、各発光素子の副走査方向の位置に基いて記録ヘッド３０１の発光制御を行う。
【００１０】
記録ヘッド３０１の各発光素子３０３の副走査方向の位置は、発光制御手段７０５がアクセスできる補正メモリ７０６に予め記憶されており、発光制御手段７０５は、発光制御する際に、まずこの補正メモリ７０６にアクセスして各発光素子３０３の副走査方向の位置を取得する。次いで、発光制御手段７０５は、取得した各発光素子３０３の副走査方向の位置に基いて各発光素子３０３と対応する第２のメモリ７０４の副走査ラインの副走方向のアドレスを決定し、決定したアドレスに対応する領域から画像データを読み取って記録ヘッド３０１の発光制御を行う。
【００１１】
例えば、ある発光素子が、他の発光素子に比べて３主走査ライン分前方（感光ドラムの回転方向前方）に位置する場合、発光制御手段７０５は、この発光素子と対応する副走査ラインの副走方向のアドレスを他の副走査ラインのアドレスよりも常に３主走査ライン後ろ側（原稿の後端側）のアドレスに決定し、この発光素子については他の発光素子よりも３主走査ライン後ろ側の画像データに基いて発光制御を行う。
【特許文献１】特開平９−１８８００号公報
【特許文献２】特開平２０００−３３５００１号公報
【発明の開示】
【発明が解決しようとする課題】
【００１２】
発光素子の副走査方向の位置のばらつきによる色ずれを防止するために、上記のように数主走査ライン分の画像データを記憶することができる第２のメモリ７０４が必要となる。そのため、上記技術によって色ずれを防止するためには、第２のメモリ７０４の分だけの画像形成装置のコストが高くなってしまう。
【００１３】
そこで、本発明は、各発光素子の副走査方向の位置のばらつきよる色ずれを抑えた廉価なタンデム方式の画像形成装置を提供することを目的とする。
【課題を解決するための手段】
【００１４】
本発明の画像形成装置は、書込ユニットにおける潜像の形成のタイミングと、発光素子の副走査方向の位置の両方を考慮して画像データの読み出しを行う。画像データの読み出しは、主走査ライン単位で行うが、読み出す画像データは、同じ主走査ラインに属する画像データでなく、発光素子の副走査方向の位置を考慮して副走査ライン毎に決定する。例えば、ある発光素子が、他の発光素子に比べて１主走査ライン分前方に位置する場合、この発光素子の発光制御に用いる画像データは、他の発光素子よりも常に１主走査ライン後方の画像データとする。
【００１５】
このように読み出す画像データを発光素子の副走査方向の位置に対応した画像データとすることで、各発光素子の副走査方向の位置のばらつきによる画像の歪を抑える事ができる。
【００１６】
また本発明の画像形成装置は、このような読み出しを各書込ユニットにおける潜像の形成のタイミングに合わせて行う。
【００１７】
よって、書込ユニットにおける潜像の形成のタイミングと、発光素子の副走査方向の位置の両方を考慮して読み出しを行えば、画像データを一旦第２のメモリに読み出して、その後第２のメモリから画像データを更に読み出すことなく、各色のトナー画像を色ずれなく同じ位置に転写することができる。
【発明の効果】
【００１８】
本発明によれば、第２のメモリを使用せずに発光素子の副走査方向の位置のばらつきによる色ずれを抑えることができるので、発光素子の副走査方向の位置のばらつきによる色ずれを抑えた廉価なタンデム方式の画像形成装置を提供することができる。
【発明を実施するための最良の形態】
【００１９】
本発明の画像処理装置は、本実施の形態では、印刷、スキャナ、複写機能等を備えた複合機として機能する。図１に示すように、本実施の形態の画像処理装置１００は、本体１０１と、本体１０１の上方に取り付けられたプランカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２０】
自動原稿給紙装置１０４は、プラテンカバー１０２の内部に形成された原稿搬送路１０８と、プラテンカバー１０２の内部に備えられたピックアップローラ１０６や搬送ローラ１０７等で構成される。原稿搬送路１０８は、載置台１０５から、本体１０１に設けられた読取部１１０にて読み取りが行なわれる読取位置Ｐを経由して、排紙台１０９に通じる原稿の搬送路である。
【００２１】
自動原稿給紙装置１０４は、載置台１０５に載置された原稿１枚ずつをピックアップローラ１０７で搬送路内１０８に引き込み、引き込んだ原稿を搬送ローラ１０６等によって読取位置Ｐを通過させて排紙台１０９に排紙する。読取位置Ｐを通過する時に原稿は読取部１１０にて読み取られる。
【００２２】
読取部１１０は、原稿台１０３の下方に設けられている。読取部１１０は、原稿台１０３を照射する主走査方向に長い光源１１１と、原稿台１０３からの光を導くミラー１１２、１１３、１１４と、ミラーで導かれた光を撮像する撮像素子１１５とで構成されている。
【００２３】
自動原稿給紙装置１０４が原稿を搬送する時は、光源１１１は、読取位置Ｐを照射できる位置に移動して発光する。光源１１１からの光は、原稿台１０３を透過して読取位置Ｐを通過する原稿にて反射し、ミラー１１２、１１３、１１４によって撮像素子１１５に導かれる。撮像素子１１５は、ＲＧＢそれぞれのフィルタが受光部に設けられた各色の撮像素子１１５から構成され、各色の撮像素子１１５は、受光した光を撮像することで、ＲＧＢの３色で各画素の色を表した画像データを生成する。
【００２４】
本実施の形態では、撮像素子１１５にて生成された画像データは、図３に示すように、主走査方向ｎ画素（ｎ副走査ライン）、副走査方向ｍ画素（ｍ主走査ライン）で構成されるものとする。
【００２５】
読取部１１０は、自動原稿給紙装置１０４で搬送される原稿だけでなく、原稿台１０３に載置された原稿も読み取ることが可能となっている。原稿台１０３に載置された原稿を読み取る場合は、読取部１１０は、光源１１１を発光させながら副走査方向に移動させて、原稿台１０３の全体を照射する。原稿台１０３からの反射光を撮像素子１１５に導くために、ミラー１１２は光源１１１と共に移動し、光源１１１から撮像素子１１５までの光路長を一定にするために、ミラー１１３、１１４は光源１１１及びミラー１１２の１/２の速度で移動する。
【００２６】
撮像素子１１５は、自動原稿給紙装置１０４に搬送された原稿のときと同じように、ミラー１１２、１１３、１１４に導かれた光に基づいてｎ画素×ｍ画素で構成される画像データを生成する。
【００２７】
本体１０１の読取部１１０の下方には、画像データを印刷する印刷部１２０が設けられている。印刷部１２０の構成にはいわゆるタンデム方式が採用されている。
【００２８】
即ち、印刷部１２０は、図２に示すように転写ベルト５１０と転写ベルト５１０に沿って配列されたＣＭＹＫ各色のトナー画像を別個に形成する書込ユニット５０１Ｃ、５０１Ｍ、５０１Ｙ、５０１Ｋを備える。各書込ユニット５０１Ｃ、５０１Ｍ、５０１Ｙ、５０１Ｋは、背景技術に記載した構成と同様に、感光ドラム５０２と、感光ドラム５０２の周囲に配置された帯電器５０３、露光器５０４、現像器５０５、転写器５０６などで構成されている。各書込ユニット５０１Ｃ、５０１Ｍ、５０１Ｙ、５０１Ｋの露光器５０２には、背景技術にて記載した記録ヘッド３０１（図３参照）が用いられている。
【００２９】
記録ヘッド３０１は、撮像素子１１５が生成した画像データの各副走査ラインと対応するｎ個の発光素子３０３が基板３０２の長手方向に配列されている。背景技術にて記載したように、基板３０２の短手方向にばらつかせることなく発光素子３０３を長手方向に配列することや、感光ドラムの主走査方向に対して完全に平行となるように書込ユニットの筐体に記録ヘッド３０１を取り付けることは技術的に非常に困難である。そのため、各発光素子３０３の副走査方向の位置は発光素子間で多少の差異が生じている。
【００３０】
発光素子３０３の副走査方向の位置は、書込ユニットの組立て時に、記録ヘッド３０１が書込ユニットの筐体に取り付けられた時に測定され、この測定結果が補正メモリに格納される。画像形成装置１００に各書込ユニット５０１Ｃ、５０１Ｍ、５０１Ｙ、５０１Ｋが組み込まれる際に、各書込ユニット５０１Ｃ、５０１Ｍ、５０１Ｙ、５０１Ｋに使用された記録ヘッド３０１の補正メモリ２１１Ｃ、２１１Ｍ、２１１Ｙ、２１１Ｋも画像形成装置１００に組み込まれる。
【００３１】
記録ヘッド３０１に配列された各発光素子３０３は、図３に示すように、１〜ｎの主走査アドレスが割り当てられており、図４に示す補正メモリ２１１には、各発光素子３０３の主走査アドレスと、各発光素子３０３の副走査方向の位置が対応付けて記憶されている。図４では副走査方向の位置として、副走査方向の最も前（感光ドラムの回転方向）側に位置した発光素子（基準発光素子）を基準として、基準発光素子に対して何主走査ライン分後方に位置しているかが用いられている。
【００３２】
図４の補正メモリ２１１は、主走査アドレス３、４等の発光素子が最も前側に位置し、主走査アドレス２、５等の発光素子は１主走査ライン分、主走査アドレス１、６等の発光素子は２主走査ライン分、主走査アドレス７、１０等の発光素子は３主走査ライン分、主走査アドレス８、９等の発光素子は４主走査ライン分基準発光素子に対して後方に位置した記録ヘッドの補正メモリ２１１である。
【００３３】
転写ベルト５１０は、本体１０１の下部に設けられた給紙カセット１３０、１３１に格納された用紙や本体１０１の側面に設けられた手差トレイ１３２に載置された用紙を各書込ユニット５０１Ｃ、５０１Ｍ、５０１Ｙ、５０１Ｋの転写器５０６上を通過させて排紙トレイ１３３へと搬送する。
【００３４】
転写ベルト５１０に搬送される用紙は、各書込ユニット５０１Ｃ、５０１Ｍ、５０１Ｙ、５０１Ｋの転写器５０６を通過する際に各色のトナー画像が転写される。各書込ユニット５０１Ｃ、５０１Ｍ、５０１Ｙ、５０１Ｋにて形成された各色のトナー画像が用紙の同じ位置に重さなり合うように、各書込ユニット５０１Ｃ、５０１Ｍ、５０１Ｙ、５０１Ｋにおけるトナー画像の形成のタイミングは、図５に示す遅延時間記憶手段２１０に記憶されている時間だけずらされる。
【００３５】
本実施の形態では、４つの書込ユニットは、図２に示すように転写ベルト５１０の回転方向の上流側から書込ユニット５０１Ｃ、５０１Ｍ、５０１Ｙ、５０１Ｋの順で配置されている。従って、トナー画像の転写ベルト５１０へのトナー画像の転写は、ＣＭＹＫのトナー画像の順で行われる。書込ユニット５０１Ｍ、５０１Ｙ、５０１Ｋのトナー画像の形成のタイミングは、書込ユニット５０１Ｃのトナー画像の形成のタイミングから下記の遅延時間経過した後となる。
【００３６】
遅延時間は、書込ユニット５０１Ｃから各書込ユニット５０１Ｍ、５０１Ｙ、５０１Ｋまでの距離を転写ベルト５１０の線速度で割った時間となる。例えば、書込ユニット５０１Ｃから各書込ユニット５０１Ｍ、５０１Ｙ、５０１Ｋまでの距離をＬ１、Ｌ２、Ｌ３とし、中間転写ベルト５１０の線速度をＶとすると、書込ユニット５０１Ｍ、５０１Ｙ、５０１Ｋの遅延時間は、Ｌ１／Ｖ、Ｌ２／Ｖ、Ｌ３／Ｖとなる。
【００３７】
また、トナー画像の転写を最初に行う書込ユニット５０１Ｃのトナー画像の形成のタイミングは、用紙の搬送開始から転写器５０６を用紙が通過するまでに掛かる時間に基いて決定されたタイミングとなっている。
【００３８】
図５に示す遅延時間記憶手段２１０には、書込ユニット５０１Ｍ、５０１Ｙ、５０１Ｋの遅延時間と、書込ユニット５０１Ｃの転写タイミングが記憶されている。
【００３９】
画像形成装置１００は、ユーザからの指示を受け付ける操作１４０を本体１０１上部に備える。操作部１４０は、操作パネルとハードキーで構成されている。例えば、ユーザが複写のために、原稿を載置台１０５に載置して、操作部１４０のスタートキーを押下したとする。
【００４０】
スタートキーが押下されると、図５に示す原稿読取手段２０１は、載置台１０５と原稿台１０３の何れに原稿が載置されているかを判断する。載置台１０５には載置された原稿と接触する図示しない接触式のセンサが設けられている。原稿読取手段２０１は、このセンサで載置台１０５に原稿が載置されていると判断すると、自動原稿給紙装置１０４を用いて載置台１０５から原稿を搬送路１０８内に引き込んで、読取位置Ｐを通過させて、原稿を排紙トレイ１０９に排紙させる。原稿読取手段２０１は、搬送路１０８内を搬送した原稿を読取位置Ｐで読取部１１０に読み取らせて、画像データを生成させる。
【００４１】
読取部１１０は、画像データを生成すると、順次生成した画像データを色変換手段２０２に送る。色変換手段２０２は、画像データが送られると、画像データをＣＭＹＫの各色のデータに変換し、各色のデータを画像データ記憶手段２０３に記憶させる。
【００４２】
画像データ記憶手段２０３は、ＣＭＹＫの各色の画像データを記憶するＣＭＹＫそれぞれの記憶ブロック２０３ｃ、２０３ｍ、２０３ｙ、２０３ｋが形成され、ＣＭＹＫの各色の画像データはそれぞれの記憶ブロック２０３ｃ、２０３ｍ、２０３ｙ、２０３ｋに記憶される。
【００４３】
各記憶ブロック２０３ｃ、２０３ｍ、２０３ｙ、２０３ｋに記憶される画像データは、原稿の先頭側に対応する画像データから順に小さい副走査アドレスの領域に格納されるものとする。
【００４４】
複写に用いられる用紙は、スタートキーが押下されると、給紙カセット１３０、１３１や手差トレイ１３２から図示しないピックアップローラ等によって引き出され、転写ベルト５１０に送られる。
【００４５】
また、スタートキーが押下されると、タイミング検知手段２０９はスタートキーが押下されてからの時間を計測し、遅延時間記憶手段２１０に記憶された書込ユニット５０１Ｃのトナー画像の形成のタイミングとなると、アドレス生成手段２０４ｃにタイミング信号を出力する。
【００４６】
アドレス生成手段２０４ｃは、図６に示すように、信号発生器６０１と、主走査カウンタ６０２、副走査カウンタ６０３、アドレス演算器６０４、副走査アドレス補正手段６０５で構成されている。
【００４７】
信号発生器６０１は、タイミング信号が入力されると、主走査タイミング信号を主走査カウンタ６０２に、副走査タイミング信号を副走査カウンタ６０３に出力する。副走査信号の出力は、主走査タイミング信号がｎ回出力される度に１回行われる。
【００４８】
主走査カウンタ６０２は、主走査タイミング信号が入力されると、主走査アドレスをインクリメントし、インクリメントした主走査アドレスをアドレス演算器６０４と副走査アドレス補正手段６０５へ出力する。主走査カウンタ６０２は、主走査アドレスがｎとなっている場合は、インクリメントする代わりに主走査アドレスを１に戻し、主走査アドレス１をアドレス演算器６０４と副走査アドレス補正手段６０５に出力する。
【００４９】
一方、副走査カウンタ６０３は、副査タイミング信号が入力されると、副走査アドレスをインクリメントし、インクリメントした副走査アドレスを副走査アドレス補正手段６０５へ出力する。副走査カウンタ６０３は、副走査アドレアスがｍとなっているときはインクリメントする代わりに副走査アドレスを１に戻し、副走査アドレス１を副走査アドレス補正手段６０５に出力する。
【００５０】
副走査アドレス補正手段６０５は、主走査カウンタ６０２から主走査アドレスが入力されると、補正メモリ２１１Ｃを参照して、入力された主走査アドレスに対応する発光素子が基準発光素子に対して何主走査ライン分後方に位置するかを認識する。副走査アドレス補正手段６０５は、副走査カウンタ６０３から入力された副走査アドレスを認識したライン数分だけ減算する。
【００５１】
副走査アドレス補正手段６０５は、減算した副走査アドレスをアドレス演算器６０４に入力する。アドレス演算器６０４は、主走査アドレスと副走査アドレスが入力されると、入力された順に、入力された主走査アドレスと副走査アドレスの組合せを読出手段２０５ｃに入力する。
【００５２】
上記副走査アドレス補正手段６０５による減算によって、１〜ｍの範囲外の副走査アドレスがアドレス演算器６０４に入力されることがある。上述したように撮像素子１１５にて生成される画像データは副走査方向がｍ画素で構成されているので、副走査アドレスが１〜ｍの範囲外の画像データは存在しない。アドレス演算器６０４は、入力された副走査アドレスが０〜ｍの範囲外の副走査アドレスとこの副走査アドレスと同時に入力された主走査アドレスを無効アドレスとみなし、無効アドレスを白データ領域２１３のアドレスに置き換える。白データ領域２１３は、白データが記憶された画像データ記憶手段２０３の領域である。
【００５３】
白データアドレスに置き換えた場合は、アドレス演算器６０４は、主走査アドレスと副走査アドレスに代えて白データアドレスを読出手段２０５ｃに入力する。
【００５４】
読出手段２０５ｃは、アドレスの入力された順にアドレスが示す記憶ブロック２０３ｃ又は白データ領域２１３から画像データを読み出す。読出手段２０５ｃは、読み出した順で白データを含む各画像データを発光制御手段２０６ｃに入力する。
【００５５】
発光制御手段２０６は、画像データが入力されると、入力された順に基いて、発光素子の発光制御を行う。
【００５６】
基準発光素子よりも後方に位置する発光素子の主走査アドレスが副走査アドレス補正手段６０５に入力された場合、上記のように副走査アドレス補正手段６０５によって、基準発光素子から後方に離れた距離だけ副走査アドレスが減算される。そのため、基準発光素子よりも後方に位置する発光素子は、原稿の前側の画像データを用いて発光の制御が行われるので、発光素子の副走査方向の位置のばらつきによる歪のないトナー画像を形成することができる。
【００５７】
また、上記タイミング検知手段２０９は、アドレス生成手段２０４ｃにタイミング信号を出力してから、書込ユニット５０１Ｍ、５０１Ｙ、５０１Ｋの遅延時間が経過すると、各書込ユニット５０１Ｍ、５０１Ｙ、５０１Ｋのアドレス生成手段２０４ｍ、２０４ｙ、２０４ｋに対してタイミング信号を出力する。各書込ユニット５０１Ｍ、５０１Ｙ、５０１Ｋのアドレス生成手段２０４ｍ、２０４ｙ、２０４ｋのアドレス生成方法、読出手段２０５ｍ、２０５ｙ、２０５ｋの画像データの読出方法、発光制御手段２０６ｍ、２０６ｙ、２０６ｋの発光制御方法は、アドレス生成手段２０４ｃ、読出手段２０５ｃ、発光制御手段２０６ｃと同じである。よって、画像データの読出しのトリガとなるタイミング信号の出力をアドレス生成手段２０４ｃに対して各書込ユニット５０１Ｍ、５０１Ｙ、５０１Ｋの遅延時間分遅らせることで、書込ユニットのトナー画像の形成タイミングも遅らせることができる。
【００５８】
以上のように、読出しの副走査アドレスと各アドレス生成手段へ出力するタイミング信号の出力を制御することで、第２のメモリがなくても、発光素子の副走査方向の位置のばらつきによる色づれを防止する事ができる。
【図面の簡単な説明】
【００５９】
【図１】画像形成装置の内部構成図。
【図２】画像形成装置の書込ユニットの構成図。
【図３】記録ヘッドの外観図。
【図４】補正メモリの概念図。
【図５】実施の形態における画像形成装置の機能ブロック図。
【図６】アドレス生成手段と補正メモリの詳細機能ブロック図。
【図７】従来の画像形成装置の機能ブロック図。
【符号の説明】
【００６０】
１００  画像形成装置
２０１  原稿読取手段
２０２  色分解手段
２０３画像データ記憶手段
２０４ｃ、２０４ｍ、２０４ｙ、２０４ｋ  アドレス生成手段
２０５ｃ、２０５ｍ、２０５ｙ、２０５ｋ  読出手段
２０６ｃ、２０６ｍ、２０６ｙ、２０６ｋ  発光制御手段
２０９  タイミング検知手段
２１０  遅延時間記憶手段
２１１ｃ、２１１ｍ、２１１ｙ、２１１ｋ  補正メモリ
【図１】
2007030305.tif 000003
【図２】
2007030305.tif 000004
【図３】
2007030305.tif 000005
【図４】
2007030305.tif 000006
【図５】
2007030305.tif 000007
【図６】
2007030305.tif 000008
【図７】
2007030305.tif 000009